(57)【特許請求の範囲】
【請求項１】
絶縁性かつ弾性のシート地に多数の通孔を穿って伸縮可能にし、このシート地をＵ字形状にしてバストカップを形成し、このバストカップの裏側に柔軟な材質の面状電極を装着し、これらの面状電極にパルス電源を接続して成るバスト美容器。
【請求項２】
前記面状電極が大胸筋及び前鋸筋に位置するように配置されて成る請求項１記載のバスト美容器。
【請求項３】
前記面状電極がシート地の表面に導電性のインクを印刷したものであることを特徴とする請求項１記載のバスト美容器。
【請求項４】
前記面状電極がシート地の表面に導電物質をコーティングしたものであることを特徴とする請求項１記載のバスト美容器。
【請求項５】
前記面状電極がシート地の表面に導電性の塗料を塗布したものであることを特徴とする請求項１記載のバスト美容器。
【請求項６】
前記面状電極がシート地の表面に導電性の熱溶融性材料を熱溶着したものであることを特徴とする請求項１記載のバスト美容器。
【請求項７】
前記面状電極がシート地の表面に導電性のゴムを張り付けたものであることを特徴とする請求項１記載のバスト美容器。
【発明の詳細な説明】
【０００１】
【発明の属する技術分野】
本発明は、バストカップの裏側に電極を取り付けてパルス電流を流し、バスト周辺の筋肉を刺激してバストアップをはかるバスト美容器に関する。
【０００２】
【発明が解決しようとする課題】
電極を取り付けたバストカップをブラジャーに挟んでパルス電流を流し、大胸筋や前鋸筋などバスト周辺の筋肉を刺激してバストを大きくし、張りをもたせるバスト美容器がバストの悩みを持つ女性に注目されている。
【０００３】
ところがこのバストカップは、非伸縮性のシリコンゴムで形成しているため、フィット感がなく、肉厚なので違和感があって着心地が悪く、重いので運動などで体を動かすとずれるなどの問題があった。
また、表面が固く角があるため、バストに当たる部分がチクチクして痛みを感じたり、汗などで汚れても普通の下着のように洗濯機で簡単に洗うことができなかった。
【０００４】
そこで本発明は、軽くてバストに柔軟にフィットし、下着と同じように扱えるバスト美容器のバストカップを提供することを目的になされたものである。
【０００５】
【課題を解決するための手段】
かかる目的を達成するために、本発明は以下のように構成した。
【０００６】
すなわち、請求項１の発明は、絶縁性かつ弾性のシート地に多数の通孔を穿って伸縮可能にし、このシート地をＵ字形状にしてバストカップを形成し、このバストカップの裏側に柔軟な材質の面状電極を装着し、これらの面状電極にパルス電源を接続して成るバスト美容器である。
請求項２の発明は、前記面状電極が大胸筋及び前鋸筋に位置するように配置されて成る請求項１記載のバスト美容器である。
請求項３の発明は、前記面状電極がシート地の表面に導電性のインクを印刷したものであることを特徴とする請求項１記載のバスト美容器である。
請求項４の発明は、前記面状電極がシート地の表面に導電物質をコーティングしたものであることを特徴とする請求項１記載のバスト美容器である。
請求項５の発明は、前記面状電極がシート地の表面に導電性の塗料を塗布した
ものであることを特徴とする請求項１記載のバスト美容器である。
請求項６の発明は、前記面状電極がシート地の表面に導電性の熱溶融性材料を
熱溶着したものであることを特徴とする請求項１記載のバスト美容器である。
請求項７の発明は、前記面状電極がシート地の表面に導電性のゴムを張り付け
たものであることを特徴とする請求項１記載のバスト美容器である。
【０００７】
【発明の実施の形態】
以下に図面を参照して本発明の実施の形態について説明する。
【０００８】
図１と図２に、本発明を実施したバストカップの正面図と側面図を示す。
バストカップＡは、環状のウレタンシートＳの対向する円周面に多数の通孔ａを穿って伸縮可能に構成し、上部を開口して末広形状に形成する。
あるいは、図３に示すように、Ｕ字形のウレタンシートＳの下側面に多数の通孔ａを穿つ。
本発明では、前記末広形状及びＵ字形を含めてＵ字形状という。
通孔ａの形状は矩形、星型など、どのような形でもよく、円形に限定するものではない。
【０００９】
バストカップＡの裏側には、左右一対の面状電極Ｅを装着する。
面状電極Ｅは、ウレタンシートＳの表面に、導電性のインクをスクリーン印刷法あるいはグラビア印刷法により印刷したり、カーボンなどの導電物質をコーティングしたり、導電性の塗料を塗布したり、導電性の熱溶融性材料を熱溶着したり、カーボンなどの導電物質を含有するゴムを張り付けて形成する。
【００１０】
導電性のインクや塗料は、黒鉛粉末、カーボンブラック粉末、銀などから成る微粉末、ポリウレタン樹脂、ポリエステル樹脂などから成る結合剤、ジメチルフホルムアミド、イソホロンなどの溶剤を混合溶解する。
【００１１】
熱溶融性材料は、室温では固体であるが加熱すると注入または塗布することができるほど流動性になる熱可塑性材料で、接着剤や塗料として広く用いられる。熱溶着は、この熱溶融性材料で形成したシートに導電性のインクを印刷して熱と圧力を加え、この熱溶融性シートを熱溶融させてシートに印刷した電極を接着させる。
【００１２】
面状電極Ｅを皮膚にフィットさせるため、ウレタンシートＳの表側を空気層やスポンジなどの押圧体で被覆してもよい。
面状電極Ｅは、ウレタンシートＳの表側に取り付けた導電ホックＨに導通し、この導電ホックＨと図示しないケーブルを介してパルス電源に接続する。
【００１３】
図４に、本発明を実施したパルス電源のブロック図を示す。
パルス電源は、操作部１で指定したトリートメントの種類や給電パターンをＣＰＵ２によってメモリ３から読み出し、トリートメントの種類や給電パターンに基づいて基準クロック発生器４のクロックパルスを分周したデジタルトリガ信号をＩ／Ｏインタフェース５とＤ／Ａ変換器６を介してパルス発生器７に入力し、所定の幅と周波数のパルスを生成してトランスＴ１の一次側に供給する。
【００１４】
トランスＴ１と並列にトランスＴ２を接続し、トランスＴ２に電流検出回路８を接続して電流値を測定し、過電流が流れていないかどうかを監視する。
電流検出回路８が検出した検出電流は、Ａ／Ｄ変換器９とＩ／０インタフェース５を介してＣＰＵ２に入力し、電流値が基準をオーバーしているときは、電流保護回路１０によって遮断スイッチ１１を作動して回路を遮断する。
【００１５】
トランスＴ１の二次側の一端と他端にそれぞれスイッチング回路１２Ａ、１２Ｂの一端を接続し、スイッチング回路１２Ａ、１２Ｂの他端を共通にしてコネクタＣを介して面状電極Ｅを分岐接続する。
スイッチング回路１２Ａ、１２Ｂはフォトカプラ接続のスイッチング回路で、対応する切換ユニット１３Ａ、１３Ｂの出力信号によって任意のフォトカプラを通電してスイッチングを行う。
これにより、指定したトリートメントの種類と給電パターンに基づいて左右２枚の面状電極Ｅを任意に組合せて所定のパルス電流を流す。
【００１６】
トリートメントの種類には、５〜１０Ｈｚの低い周波数のパルスで身体の深部を刺激し、骨格筋を運動させて血液の循環を促し、身体を揉みほぐす効果のあるトーニングと、２０〜１００Ｈｚの高い周波数のパルスで身体の表部を刺激し、上層部の筋肉を運動させてリンパ液の流れを助長し、浮腫などを取り除く効果のあるドレナージュがある。
【００１７】
ドレナージュとトーニングには、パルス電圧をサイクリックに上下して刺激を変化させるスペシャル・ドレナージュとスペシャル・トーニングがある。
また、同時に左右２枚の電極間にパルスを流す通常のドレナージュとトーニングの他に、時系列で時間を分けて左右２枚の電極間にパルスを流す時系列ドレナージュと時系列トーニング、あるいは時分割で同時に左右２枚の電極間にパルスを流す時分割ドレナージュと時分割トーニングがある。
【００１８】
本発明のバスト美容器は以上のような構成で、トリートメントを行うときは、左右一対のバストカップＡをブラジャーの下に入れて挟むように装着する。
バストカップＡを装着すると、ウレタンシートＳの多数の通孔を穿って形成した伸縮部分が引き寄せてバスト全体を包み込むようにサポートする。
【００１９】
この状態でウレタンシートＳの裏側に取り付けた面状電極Ｅを導電ホックＨを介してパルス電源に接続し、面状電極Ｅに指定したトリートメントの種類と給電パターンのパルス電流を流す。
これにより、パルス電流が揉む、叩く、押すようにバスト周辺の筋肉を刺激してバストを大きくし、バストに張りを与える。
バストを寄せるときは、バストカップＡを回転して面状電極Ｅを左右に配置し、前鋸筋を収縮させてバストを横から引き寄せる。
バストアップをはかるときは、バストカップＡを回転して面状電極Ｅを上下に配置し、大胸筋を収縮させてバストを上に引上げる。
【００２０】
【発明の効果】
以上説明したように、本発明のバスト美容器は、絶縁性かつ弾性のシート地に多数の通孔を穿って伸縮可能にし、このシート地をＵ形状にしてバストカップを形成し、このバストカップの裏側に柔軟な材質の面状電極を装着し、これらの面状電極にパルス電源を接続する。
従って、本発明によれば、伸縮可能な絶縁性のシート地が回りからバストを包み込むようにサポートするので、さまざまな形のバストに程よくフィットさせることができ、バストを引き締めて形状を補整する効果もある。
また、弾性のシート地に通孔を穿って伸縮可能にするので、伸縮性の布地をシート地に張り合わせる手間が省けて簡単に安く作ることができる。
さらに、シート地をベースに作るので、従来のシリコンゴムと違って肌にやさしく、汚れても下着と同じように手軽に洗濯でき、軽いので動いても重さでずれるようなこともなくなる。
また、従来のシリコンゴムのようにサイズ毎に金型を起こす必要がなく、さまざまなサイズのものを安く簡単に取り揃えることができる。
【００２１】
本発明のバスト美容器は、面状電極が大胸筋及び前鋸筋に位置するように配置する。
従って、本発明によれば、胸を引き上げる筋肉と胸を寄せる筋肉を同時に集中的に刺激して鍛えるので、バストアップ効果を発揮する。
【図面の簡単な説明】
【図１】本発明を実施したバストカップの正面図である。
【図２】図１の側面図である。
【図３】図１の変形例である。
【図４】本発明を実施したパルス電源のブロック図である。
【符号の説明】
１            操作部
２            ＣＰＵ
３            メモリ
４            基準クロック発生器
５            Ｉ／Ｏインタフェース
６            Ｄ／Ａ変換器
７            パルス発生器
８            電流検出回路
９            Ａ／Ｄ変換器
１０            電流保護回路
１１            遮断スイッチ
１２            スイッチング回路
１３            切換ユニット
Ａ            バストカップ
Ｃ            コネクタ
Ｅ            面状電極
Ｈ            導電ホック
Ｓ            ウレタンシート
Ｔ１〜Ｔ２    トランス
ａ            通孔
【図１】
0003570919.tif 000002
【図２】
0003570919.tif 000003
【図３】
0003570919.tif 000004
【図４】
0003570919.tif 000005